(57)【要約】【課題】  照り感などを自在に表現することができ、視覚効果を向上させることが出来、表現力を高めることができる透明反射フィルムとデザインシートとこれらの製造方法を提供する。【解決手段】  平面視形状が平行線群、曲線群、又はそれらを組合せた万線６に沿って配置した複数のドット状凸部７間の模様が、透明樹脂中の空隙部８により形成された透明反射フィルム３の本体３ａを設け、透明反射フィルム本体３ａの表面に平滑面５ｃが形成されている。【選択図】図１
2016107601.tif 000002
【特許請求の範囲】
【請求項１】
平面視形状が平行線群、曲線群、又はそれらを組合せた万線に沿って配置した複数のドット状凸部間の模様が、透明樹脂中の空隙により形成された透明反射フィルムの本体を設け、
前記透明反射フィルム本体の表面に平滑面が形成されていることを特徴とする透明反射フィルム。
【請求項２】
前記透明反射フィルム本体は、少なくとも表面に前記万線に沿って配置した複数のドット状凸部間の模様が形成された透明樹脂の第一層と、前記第一層の上に積層された透明樹脂の第二層とが一体的に積層された積層体によって形成され、
前記万線に沿って配置した複数のドット状凸部間の模様は、前記積層体の前記第一層と前記第二層との間の空隙により構成され、
前記第二層の表面に平滑面が形成されていることを特徴とする請求項１に記載の透明反射フィルム。
【請求項３】
前記積層体は、前記第一層と前記第二層とが同一材料で形成され、
前記第一層の前記万線に沿って配置した複数のドット状凸部間の模様の凹部の深さよりも前記第二層の厚さの方が小さく設定され、かつ前記第一層の上面と前記第二層の下面との接合部が溶融状態で接合されて一体化され、
前記第一層と前記第二層との接合時の成形温度は、前記第一層よりも前記第二層の温度が高い温度で成形されていることを特徴とする請求項２に記載の透明反射フィルム。
【請求項４】
前記第二層は、前記第一層との接合面と反対側の面に同一材料で形成された表面層がさらに接合され、前記表面層の表面に前記平滑面が形成されていることを特徴とする請求項３に記載の透明反射フィルム。
【請求項５】
前記透明樹脂は、オレフィン系樹脂、ポリカーボネイト樹脂、ＭＳ樹脂、アクリル系樹脂、ポリスチレン系樹脂のうちのいずれかである請求項１〜４のいずれかに記載の透明反射フィルム。
【請求項６】
任意の絵柄のデザイン模様が印刷された基材シート上に、請求項５に記載の透明反射フィルムが積層されて形成されていることを特徴とするデザインシート。
【請求項７】
前記デザイン模様は、木目であることを特徴とする請求項６に記載のデザインシート。
【請求項８】
同種の透明樹脂を高温状態と低温状態とした一種二層で溶融押出成形する際に、低温状態の第１の透明樹脂を用いて平面視形状が平行線群、曲線群、又はそれらを組合せた万線に沿って配置した複数のドット状凸部の模様の賦形を行い透明樹脂の第一層を成形し、
高温状態側の第２の透明樹脂の第二層を前記第一層の前記万線に沿って配置した複数のドット状凸部の成形面側に積層することで、表面に平滑面が形成された透明樹脂の第二層と前記第一層とが一体的に積層された積層体を成形することを特徴とする透明反射フィルムの製造方法。
【請求項９】
任意の絵柄のデザイン模様が印刷された基材シート上に、請求項１の透明反射フィルムが熱圧着によって積層状態で接合されるデザインシートを成形することを特徴とするデザインシートの製造方法。
【請求項１０】
任意の絵柄のデザイン模様が印刷された基材シート上に、請求項２の透明反射フィルムの前記透明反射フィルム本体の前記第一層を積層した第１積層体を成形する第１の積層工程と、
前記第１積層体の前記第一層の前記万線に沿って配置した複数のドット状凸部間の凹部の上側に前記第二層を一体的に積層した第２積層体を成形する第２の積層工程とを有し、
前記第２の積層工程時に前記第一層の前記万線に沿って配置した複数のドット状凸部間の凹部の深さよりも前記第二層の厚さの方が小さく設定され、かつ
前記第一層と前記第二層との接合時の成形温度は、前記第一層よりも前記第二層の温度が高い温度で成形されて前記第一層の上面と前記第二層の下面との接合部が溶融状態で接合されて一体化されることを特徴とする請求項９に記載のデザインシートの製造方法。
【発明の詳細な説明】
【技術分野】
【０００１】
本発明は、樹脂製の透明反射フィルムとデザインシートとこれらの製造方法に関する。
【背景技術】
【０００２】
既存の化粧シートなどで使用される反射フィルムは、エンボス加工（微細な凹凸加工）を施した透明なプラスチックフィルムと、印刷やコーティングを組み合わせたシート構造になっている。このようなシート構造の化粧シートを目視した場合、光線の透過や、反射を用いて視覚効果を向上させることが出来る。
【０００３】
特許文献１には、木目柄を印刷した着色基材シートの上に、表面に凹凸を設けた透明層を積層した構成の樹脂製の化粧シートが開示されている。特許文献２には、立体模様化粧材の製造方法が開示されている。ここでは、シート生地に塗膜塗装を積層させたのち、この積層塗膜シート生地を基材に貼着させる。続いて、シート生地の塗膜部にエンボス加工を施し、エンボス加工によって塗料積層部に形成された凹凸の輪郭模様の凸状部分から所望の塗層色を研ぎ出し、研ぎ出された塗層の色彩、あるいは研ぎ出された地肌により基材表面に立体模様を現出させる製造方法が記載されている。
【先行技術文献】
【特許文献】
【０００４】
【特許文献１】特許第４４２８６０２号公報
【特許文献２】特開２００８−１０５２５６号公報
【発明の概要】
【発明が解決しようとする課題】
【０００５】
天然木目の板の表面には、木目模様とは異なる光沢模様、いわゆる「照り」を有したものがある。この照りは、木材表面の正反射光以外の方向に反射する光線のうち、木材表面の一部に反射エリアを有しており、視点あるいは照明位置の変化に伴い、この反射エリアの形状や位置が変化する、部分的な光線反射現象である。樹脂製の化粧シートで、精巧な天然木目を再現するには、この照りの再現が必要である。
【０００６】
木目柄を印刷したシートの表面に凹凸を設けた化粧シートでは、表面の凹凸面で強い反射光が生じないため、照り感の向上には繋がらない。また、シート表面の凹凸模様の絵柄との同調や、艶状態のコントロールなどを行なったとしても、シート表面に凹凸形状を有することから、シート表面での正反射光により生起するグロス感とはトレードオフとなり、結果として見劣りするものであった。
【０００７】
また、透明層の裏面側に凹凸をつけ、最表面は平滑面とする構成も考案されている。しかしながら、この場合は、凹凸面での光線反射が弱くなり、照り光の表現力としては不足してしまう。
【０００８】
従来の方法では、木目柄を印刷したシートの上に、表面に凹凸を設けた透明層を積層した構成を基本として、最表面層に保護層としてハードコート層を設けたり、更にはそのハードコート層に光散乱用のフィラーなどを含ませて、マット層とした構成の化粧シートなど、数々の加工バリエーションを有している。この場合、最表面層での光反射を用いることから、表面のマット形状は、凹凸形状を埋めてはならないなどの制約があり、その自由度が少ない。そのため、従来の化粧シートでは、そのシート構造から表現力に限界があった。
【０００９】
本発明の課題は、照り感などを自在に表現することができ、視覚効果を向上させることが出来、表現力を高めることができる透明反射フィルムとデザインシートとこれらの製造方法を提供することにある。
【課題を解決するための手段】
【００１０】
グロス感はシート表面で生じる正反射光により醸し出されており、この正反射光は平滑面によりのみ、得られる。そのため、充分なグロス感を得るためには、最表面に平滑層を設定することが必要である。一方で、天然木目の板の表面のような照り光を得るための構造として、透明樹脂層の内部に空気層を設けている。この空気層では、透明樹脂層を構成する樹脂の屈折率と、空気の屈折率との差が反射率を決定する重要な要素となる。本発明では、いわゆる発泡層としてではなく、エンボスパターンとして構成された微細な空気トンネルを配設した構造としている。これにより、空気との境界面における強い反射光を規則性を持って反射させ、照り光として知覚させることができる。
【００１１】
この透明樹脂層の内部に空気層の模様の溝形状を作るためには、エンボス法を用いて透明樹脂層の表面に反射用の凹凸部を形成した後に、これと同じ樹脂で最外面が平滑面となるようにもう一層“蓋”となる層を設ける。
【００１２】
各層間の接着方法について、接着剤を用いる場合、部材と接着剤の屈折率が一致しないために境界面での反射光が生じてしまい、狙った効果が得られないばかりか、構成部材が増えるためにコストの増加にも繋がり、好ましくない。また、押出法を用いたエンボスプロセスにおいても、高温の樹脂をシートに押出して加工するため、エンボス済みのシート上に樹脂を押出した場合にはエンボスの凹凸も溶融し、消失してしまうといった問題がある。
【００１３】
そこで、本発明では、空気層の溝形状の模様を作るための凹凸面を形成したエンボスシートと、蓋となる平坦層を形成する際の樹脂を１種２層の共押出しとしている。そして、空気層の溝形状の模様を作るための凹凸面が形成された第一層を溶融吐出ギリギリの低温で押出し、この第一層に接触する第二層を溝形状深さよりも薄く、かつ、高温で押出し、シートの形成を行なう方法で、内部に空気層を有した透明反射フィルムを一括成形で得られることを見出した。
【００１４】
請求項１に記載の発明では、平面視形状が平行線群、曲線群、又はそれらを組合せた万線に沿って配置した複数のドット状凸部間の模様が、透明樹脂中の空隙により形成された透明反射フィルムの本体を設け、前記透明反射フィルム本体の表面に平滑面が形成されていることを特徴とする透明反射フィルムを提供する。
【００１５】
請求項２に記載の発明では、前記透明反射フィルム本体は、少なくとも表面に前記万線に沿って配置した複数のドット状凸部間の模様が形成された透明樹脂の第一層と、前記第一層の上に積層された透明樹脂の第二層とが一体的に積層された積層体によって形成され、前記万線に沿って配置した複数のドット状凸部間の模様は、前記積層体の前記第一層と前記第二層との間の空隙により構成され、前記第二層の表面に平滑面が形成されていることを特徴とする請求項１に記載の透明反射フィルムを提供する。
【００１６】
請求項３に記載の発明では、前記積層体は、前記第一層と前記第二層とが同一材料で形成され、前記第一層の前記万線に沿って配置した複数のドット状凸部間の模様の凹部の深さよりも前記第二層の厚さの方が小さく設定され、かつ前記第一層の上面と前記第二層の下面との接合部が溶融状態で接合されて一体化され、前記第一層と前記第二層との接合時の成形温度は、前記第一層よりも前記第二層の温度が高い温度で成形されていることを特徴とする請求項２に記載の透明反射フィルムを提供する。
【００１７】
請求項４に記載の発明では、前記第二層は、前記第一層との接合面と反対側の面に同一材料で形成された表面層がさらに接合され、前記表面層の表面に前記平滑面が形成されていることを特徴とする請求項３に記載の透明反射フィルムを提供する。
【００１８】
請求項５に記載の発明では、前記透明樹脂は、オレフィン系樹脂、ポリカーボネイト樹脂、ＭＳ樹脂、アクリル系樹脂、ポリスチレン系樹脂のうちのいずれかである請求項１〜４のいずれかに記載の透明反射フィルムを提供する。
【００１９】
請求項６に記載の発明では、任意の絵柄のデザイン模様が印刷された基材シート上に、請求項５に記載の透明反射フィルムが積層されて形成されていることを特徴とするデザインシートを提供する。
【００２０】
請求項７に記載の発明では、前記デザイン模様は、木目であることを特徴とする請求項６に記載のデザインシートを提供する。
【００２１】
請求項８に記載の発明では、同種の透明樹脂を高温状態と低温状態とした一種二層で溶融押出成形する際に、低温状態の第１の透明樹脂を用いて平面視形状が平行線群、曲線群、又はそれらを組合せた万線に沿って配置した複数のドット状凸部の模様の賦形を行い透明樹脂の第一層を成形し、高温状態側の第２の透明樹脂の第二層を前記第一層の前記万線に沿って配置した複数のドット状凸部の成形面側に積層することで、表面に平滑面が形成された透明樹脂の第二層と前記第一層とが一体的に積層された積層体を成形することを特徴とする透明反射フィルムの製造方法を提供する。
【００２２】
請求項９に記載の発明では、任意の絵柄のデザイン模様が印刷された基材シート上に、請求項１の透明反射フィルムが熱圧着によって積層状態で接合されるデザインシートを成形することを特徴とするデザインシートの製造方法を提供する。
【００２３】
請求項１０に記載の発明では、任意の絵柄のデザイン模様が印刷された基材シート上に、請求項２の透明反射フィルムの前記透明反射フィルム本体の前記第一層を積層した第１積層体を成形する第１の積層工程と、前記第１積層体の前記第一層の前記万線に沿って配置した複数のドット状凸部間の凹部の上側に前記第二層を一体的に積層した第２積層体を成形する第２の積層工程とを有し、前記第２の積層工程時に前記第一層の前記万線に沿って配置した複数のドット状凸部間の凹部の深さよりも前記第二層の厚さの方が小さく設定され、かつ前記第一層と前記第二層との接合時の成形温度は、前記第一層よりも前記第二層の温度が高い温度で成形されて前記第一層の上面と前記第二層の下面との接合部が溶融状態で接合されて一体化されることを特徴とする請求項９に記載のデザインシートの製造方法を提供する。
【発明の効果】
【００２４】
本発明によれば、フィルム内部に空隙層を設けたシートを反射フィルムとして用いることで、その空隙の形状により生じる反射光を、ドット状の立体形状や、その向きの分布を適宜調整することによって、自在な照り感を表現することができ、視覚効果を向上させることが出来、表現力を高めることができる透明反射フィルムとデザインシートとこれらの製造方法を提供することができる。
【図面の簡単な説明】
【００２５】
【図１】本発明の第１の実施の形態のデザインシートの概略構成を示す縦断面図。
【図２】第１の実施の形態のデザインシートにおける透明反射フィルムの透明樹脂中の万線に沿って配置した複数のドット状凸部間の空隙部分を示す要部の断面斜視図。
【図３】第１の実施の形態の透明反射フィルムの万線模様の一例を示す要部の平面図。
【図４】第１の実施の形態の透明反射フィルムの万線に沿って配置した複数のドット状凸部間の模様の一例を示す要部の平面図。
【図５】第１の実施の形態のデザインシートの製造装置における透明反射フィルムの第１の積層工程を示す概略構成図。
【図６】第１の実施の形態のデザインシートの製造装置における第１の積層工程の成形ロールと第１積層体との分離状態を説明する要部の縦断面図。
【図７】第１の実施の形態のデザインシートの製造装置における万線状溝模様の透明反射フィルムの第２の積層工程を示す概略構成図。
【図８】第１の実施の形態のデザインシートの製造装置における第２の積層工程の成形ロールと第２積層体との分離状態を説明する要部の縦断面図。
【図９】第１の実施の形態のデザインシートの透明反射フィルムに入射した光の反射状態を説明するための説明図。
【発明を実施するための形態】
【００２６】
本発明の実施の形態について図面を参照しながら詳しく説明する。図１は、第１の実施の形態のデザインシートの一例である木目シート１の概略構成を示す縦断面図である。本実施の形態の木目シート１は、任意の絵柄、例えば予め木目の絵柄（デザイン模様）が印刷された木目印刷シートである基材シート２の上に、透明反射フィルム３が接着層Ｓを介して積層されて形成されている。なお、接着層Ｓは必須構造ではないが、現実的には基材シート２と透明反射フィルム３との接着力が不十分な場合が多いので、接着力確保のために接着層Ｓを適宜設けてもよい。
【００２７】
透明反射フィルム３の本体３ａは、少なくとも第一層４と第二層５とが一体的に積層された積層体によって形成されている。図２に示すように本実施の形態では、第一層４は、平面視形状が平行線群、曲線群、又はそれらを組合せた万線６の模様（図３参照）に沿って配置した複数のドット状凸部７間の空隙部８が形成された透明樹脂の第１エンボス層によって形成されている（図４参照）。第二層５は、透明樹脂の第２エンボス層５ａと、表面層５ｂとを積層した構成を有する。第２エンボス層５ａは、第一層４の上に積層され、第一層４との接合面と反対側の面に同一材料で形成された表面層５ｂがさらに接合され、表面層５ｂの表面に平滑面５ｃが形成されている。図２に示すように万線６に沿って配置した複数のドット状凸部７間の空隙部８の模様は、積層体の第一層４と第二層５との間の空隙により構成されていている。空隙部８の空気層構造のパターンは、万線状もしくは円弧状は、線幅が概１００μｍ以上、空隙部８の深さは、概３０μｍ以上が好ましい。
【００２８】
ここで、透明反射フィルム３の積層体は、第一層４と第二層５とが同一材料の透明樹脂で形成されている。透明樹脂の材料としては、オレフィン系樹脂を用いることが可能で、具体的には、ＰＰ（ポリプロピレン）、ＰＥ（ポリエチレン）、塩化ビニールが挙げられる。これらは、易加工性と柔軟性を有しており、仕上がり品も風合いが良い。また、一般的な透明樹脂を用いた構成も可能である。その中でも、加工が比較的容易なプラスチック材料として、例えば、ポリカーボネイト樹脂、ＭＳ（メタクリルスチレン）樹脂などを用いれば耐衝撃性に優れた割れにくい特徴を持たせる事が出来、アクリル系樹脂やポリスチレン系樹脂を用いれば耐擦性に優れた特徴を得る事ができる。シートの厚さは、概５０μｍ〜３ｍｍである。
【００２９】
また、透明反射フィルム３の積層体は、第一層４の万線に沿って配置した複数のドット状凸部７の高さ（複数のドット状凸部７間の空隙部８の深さ）よりも第二層５の第２エンボス層５ａの厚さの方が小さく設定され、かつ第一層４の上面と第二層５の下面との接合部が溶融状態で接合されて一体化されている。さらに、第一層４と第二層５との接合時の成形温度は、第一層４よりも第二層５の温度が高い温度で成形されている。
【００３０】
本実施の形態の透明反射フィルム３の製造に際しては、第一層４の樹脂温度を低く、第二層５の第２エンボス層５ａの樹脂温度を高くする事で、コシなどのシートの成形性と、パターン転写性や融着性を得ることが出来る。樹脂種類にも拠るが、フローマークの生じない範囲で温度差を設ければよく、ＰＥ（例えば日本ポリエチレン製ＬＣ６００Ａ）やＰＭＭＡ（例えば三菱レイヨン製ＶＨ０００）などでは概ね１０℃〜２０℃程度の温度差を付ける事が出来る。
【００３１】
本実施の形態の透明反射フィルム３の製造方法として、生産性に優れたＴダイによる多層押出法を用いた場合について説明する。Ｔダイによる多層押出法とは、異種の樹脂をそれぞれ溶融して吐出させる複数の押出機をフィードブロックに接続し、フィードブロック内で合流多層化してＴダイから多層樹脂膜として吐出し、冷却ロールで樹脂を冷却しながらシーティングを行う方式である。
【００３２】
この多層押出しを行う際には、フローマークの発生を防ぐ事が重要であるが、一般には、各層の樹脂の、Ｔダイ吐出後の流速を揃えることで行う。本実施の形態においては、各層で同一樹脂を使用するが、温度を変えて粘度を変えるため、Ｔダイ内で多層化される樹脂の温度差を、フローマークが発生しない吐出条件温度とし、フローマークの無い良好な樹脂膜を得ればよい。
【００３３】
本実施の形態の木目シート１の製造装置１１は、２つのシート成形装置（第１のシート成形装置１２ａ（図５参照）と第２のシート成形装置１２ｂ（図７参照））を有する。第１のシート成形装置１２ａは、木目シート１の製造工程の前半部分として、木目の絵柄（デザイン模様）が印刷された基材シート２の上に、透明反射フィルム３の第一層４の第１エンボス層を形成する工程を行う成形装置である。この第１のシート成形装置１２ａによって後述する中間シート部材２８が成形される。第２のシート成形装置１２ｂは、木目シート１の製造工程の後半部分として、第２エンボス層５ａと、表面層５ｂとを形成する工程を行う成形装置である。この第２のシート成形装置１２ｂによって中間シート部材２８の上に第２エンボス層５ａと、表面層５ｂとが積層されて透明反射フィルム３の本体３ａが形成される。
【００３４】
第１のシート成形装置１２ａは、図５に示すように２つの押出機（第１押出機１３と、第２押出機１４）と、Ｔダイ１５と、引取り機の３つの冷却ロール（第１冷却ロール１６と、第２冷却ロール１７と、第３冷却ロール１８）と、基材シート２の供給ロール１９とを有する。
【００３５】
第１押出機１３には、第一層４の第１エンボス層を構成する透明樹脂材料である第１の樹脂材料のペレットが供給される。そして、この第１押出機１３内で樹脂材料のペレットが溶融された状態で、第１の溶融樹脂材料が供給路２０を介してＴダイ１５に供給される。また、第２押出機１４は、木目印刷シートである基材シート２と接着を行なう第２の樹脂材料（接着層Ｓ）のペレットが供給される。そして、この第２押出機１４内で樹脂材料のペレットが溶融された状態で、第２の溶融樹脂材料が供給路２１を介してＴダイ１５に供給される。
【００３６】
Ｔダイ１５は、２つの溶融樹脂供給口（第１供給口２２と第２供給口２３）と、１つの吐出口２４とを有する。そして、第１供給口２２には、第１の溶融樹脂材料の供給路２０が連結され、第１押出機１３から第１の溶融樹脂材料が供給される。また、第２供給口２３には、第２の溶融樹脂材料の供給路２１が連結され、第２押出機１４から第２の溶融樹脂材料が供給される。
【００３７】
Ｔダイ１５の内部には、第１の溶融樹脂材料のシート（第１のシート２５）と第２の溶融樹脂材料のシート（第２のシート２６）とを合流して積層させる合流部が設けられている。このＴダイ１５の内部の合流部で積層された第１のシート２５と第２のシート２６との積層体のシート（第１の積層体シート２７）は、Ｔダイ１５の吐出口２４からシート状に吐出される。ここで、Ｔダイ１５から吐出される樹脂（第１の積層体シート２７）は、２つの押出機（第１押出機１３と、第２押出機１４）の回転数、温度条件などを調整し、適切な層比、厚みをコントロールできる。なお、Ｔダイ１５の上流部分に設けられるフィードブロック（図示せず）などで第１のシート２５と第２のシート２６とを合流、多層化を行っても良い。
【００３８】
引取り機の３つの冷却ロール（第１冷却ロール１６と、第２冷却ロール１７と、第３冷却ロール１８）は、並設されている。第１冷却ロール１６と第３冷却ロール１８とは、円筒状の加圧ローラである。第２冷却ロール１７は、第１冷却ロール１６と第３冷却ロール１８との間に配置され、外周面に透明樹脂の第１のシート２５の万線６に沿って配置した複数のドット状凸部７間の凹凸模様と逆凹凸のエンボスパターン１７ａが刻設されている。エンボスパターン１７ａは、照り光を感じるように万線６に沿って配置した複数のドット状凸部７間の空隙部８の凹凸模様の形状を適宜調整し、エンボス版として加工できる範囲で模様柄を構成すれば良い。
【００３９】
第２冷却ロール１７は、例えば鉄芯上に銅メッキを施して、その銅の層を彫刻、たとえばダイヤモンドバイトによる切削加工、砥石による研削加工、選択的に腐食を施すエッチング加工や、その他多くの既存のパターンニング技術を用いてエンボスパターン１７ａを製作することができる。さらに、銅メッキ上に、クロムメッキを施すことで、表面硬度の向上による銅層の保護を図ることが可能となる。このほかにも金属や、セラミックをシリンダー表面に溶射、研磨を施して耐久性の高いロールを使用したり、ニッケル表面に形状を刻んだロール等を用いても良い。
【００４０】
第１冷却ロール１６と、第２冷却ロール１７との間には、供給ロール１９から繰り出される基材シート２と、Ｔダイ１５の吐出口２４からシート状に吐出される第１の積層体シート２７とが同時に導入される。このとき、引取り機に到達した第１の積層体シート２７の溶融樹脂は、第１冷却ロール１６と、第２冷却ロール１７との間で基材シート２と一緒に挟み込むが、その際に、第１の積層体シート２７の第１のシート２５が第２冷却ロール１７に密着するようにロール温度、トルク、挟圧を調整する。
【００４１】
さらに、第１冷却ロール１６と、第２冷却ロール１７との間で圧接されて積層された基材シート２と、第１の積層体シート２７との積層体シートは、続いて、第２冷却ロール１７と第３冷却ロール１８との間を通過する。このときの積層体シートの移動にともない積層体シートが第１冷却ロール１６と、第２冷却ロール１７との間を通過する際、および、第２冷却ロール１７と第３冷却ロール１８との間を通過する際に、図６に示すように第２冷却ロール１７のエンボスパターン１７ａの形状が第１の積層体シート２７の第１のシート２５に転写される。このとき、同時に、基材シート２の上に、第１の積層体シート２７の第１のシート２５が第２のシート２６を介して積層される状態で接着され、中間シート部材２８が成形される。
【００４２】
また、中間シート部材２８が第２冷却ロール１７と第３冷却ロール１８との間を通過するとき、第２冷却ロール１７と第３冷却ロール１８とで除熱を行い、冷却ロール１７、１８の温度差や、張力等を用いて中間シート部材２８の反りを矯正しながらシーティングを行い、更に下流部分で巻き取ることで、透明反射フィルム３の第一層４と、基材シート２とが一体に接着された木目シート１の中間シート部材２８を得ることができる。
【００４３】
第２のシート成形装置１２ｂは、図７に示すように２つの押出機（第３押出機２９と、第４押出機３０）と、Ｔダイ３１と、引取り機の３つの冷却ロール（第４冷却ロール３２と、第５冷却ロール３３と、第６冷却ロール３４）と、中間シート部材２８の供給ロール３５とを有する。
【００４４】
第３押出機２９には、透明反射フィルム３の第二層５の表面層５ｂを構成する透明樹脂材料である第３の樹脂材料のペレットが供給される。そして、この第３押出機２９内で樹脂材料のペレットが溶融された状態で、第３の溶融樹脂材料が供給路３６を介してＴダイ３１に供給される。また、第４押出機３０は、透明反射フィルム３の第二層５の第２エンボス層５ａを構成する透明樹脂材料である第４の樹脂材料のペレットが供給される。そして、この第４押出機３０内で樹脂材料のペレットが溶融された状態で、第４の溶融樹脂材料が供給路３７を介してＴダイ３１に供給される。
【００４５】
Ｔダイ３１は、２つの溶融樹脂供給口（第３供給口３８と第４供給口３９）と、１つの吐出口４０とを有する。そして、第３供給口３８には、第３の溶融樹脂材料の供給路３６が連結され、第３押出機２９から第３の溶融樹脂材料が供給される。また、第４供給口３９には、第４の溶融樹脂材料の供給路３７が連結され、第４押出機３０から第４の溶融樹脂材料が供給される。
【００４６】
Ｔダイ３１の内部には、第３の溶融樹脂材料のシート（第３のシート４１）と第４の溶融樹脂材料のシート（第４のシート４２）とを合流して積層させる合流部が設けられている。このＴダイ３１の内部の合流部で積層された第３のシート４１と第４のシート４２との積層体のシート（第２の積層体シート４３）は、Ｔダイ３１の吐出口４０からシート状に吐出される。ここで、Ｔダイ３１から吐出される樹脂（第２の積層体シート４３）は、２つの押出機（第３押出機２９と、第４押出機３０）の回転数、温度条件などを調整し、適切な層比、厚みをコントロールできる。例えば、第２エンボス層５ａの樹脂温度を高く、表面層５ｂの樹脂温度を低く設定する。なお、Ｔダイ３１の上流部分に設けられるフィードブロック（図示せず）などで第３のシート４１と第４のシート４２とを合流、多層化を行っても良い。
【００４７】
引取り機の３つの冷却ロール（第４冷却ロール３２と、第５冷却ロール３３と、第６冷却ロール３４）は、並設されている。第４冷却ロール３２と第６冷却ロール３４とは、円筒状の加圧ローラである。第５冷却ロール３３は、第４冷却ロール３２と第６冷却ロール３４との間に配置されている。この第５冷却ロール３３は、外周面が鏡面状に成形され、ミラーロールが形成されている。
【００４８】
第４冷却ロール３２と、第５冷却ロール３３との間には、供給ロール３５から繰り出される中間シート部材２８と、Ｔダイ３１の吐出口４０からシート状に吐出される第２の積層体シート４３とが同時に導入される。このとき、引取り機に到達した第２の積層体シート４３の溶融樹脂は、第４冷却ロール３２と、第５冷却ロール３３との間で中間シート部材２８と一緒に挟み込む。その際に、設定の限度は、樹脂種類や樹脂の吐出量、層厚みなどにより異なるが、成形品にフローマークが発生せず、かつ、中間シート部材２８の第１エンボス層の第一層４と、第２の積層体シート４３の第４のシート４２（第２エンボス層５ａ）との間に万線６に沿って配置した複数のドット状凸部７間の空隙部８の模様が維持できる条件とすれば良い。これにより、第２の積層体シート４３と中間シート部材２８とが積層される。このとき、中間シート部材２８の第一層４の上面と、第２の積層体シート４３の第４のシート４２（第二層５）の下面との接合部が溶融状態で接合されて一体化される。これにより、基材シート２の上に、透明反射フィルム３が接着層Ｓを介して積層された積層体の第一層４と第二層５との間の空隙により万線６に沿って配置した複数のドット状凸部７間の空隙部８の模様が構成されていている透明反射フィルム３の本体３ａが形成される。
【００４９】
さらに、第２の積層体シート４３の第３のシート４１が第５冷却ロール３３に密着するようにロール温度、トルク、挟圧を調整する。このとき、第３のシート４１が第５冷却ロール３３のミラーロールに密着する事で、第２の積層体シート４３の第３のシート４１に平滑面を転写させることが出来る。
【００５０】
続いて、第５冷却ロール３３と第６冷却ロール３４とで除熱を行う。このとき、冷却ロールの温度差や、張力等を用いてシートの反りを矯正しながらシーティングを行い、更に下流部分で巻き取ることで、木目シート１の成形品４４を得ることができる。
【００５１】
なお、木目シート１の成形品４４の各層への樹脂吐出量の比率は、フローマークや、形状転写に影響の無い樹脂温度が維持でき、フローマークが生じないように設定する。例えば、主層（第一層４の第１エンボス層）に粘度の高い樹脂を選定し、表層（表面層５ｂ）あるいは裏層（第２エンボス層５ａ）側を主層よりも樹脂粘度の低い樹脂として、フローマークが消える温度条件にて吐出することで木目シート１の成形品４４を作ることが好ましい。
【００５２】
上記構成の本実施の形態の木目シート１にあっては次の効果を奏する。すなわち、本実施の形態の木目シート１では、透明反射フィルム３の本体３ａの内部に平面視形状が平行線群、曲線群、又はそれらを組合せた万線６の模様に沿って配置した複数のドット状凸部７間に空隙部８を設け、この透明反射フィルム本体３ａの表面に平滑面５ｃを形成している。そして、予め木目の絵柄（デザイン模様）が印刷された木目印刷シートである基材シート２の上に、この透明反射フィルム本体３ａを積層させた木目シート１を設けている。そのため、この木目シート１を平滑面５ｃの外側から目視した場合には、図９に示すように最表面の平滑面５ｃで全反射する全反射光Ｌ１や、第二層５の下面と複数のドット状凸部７間の空隙部８との間の界面で反射する反射光Ｌ２や、第二層５およびドット状凸部７間の空隙部８の壁部と第一層４とを通り、第一層４と接着層Ｓとの界面や、ドット状凸部７間の空隙部８の壁部などで複雑に反射する反射光Ｌ３、Ｌ４などが目視されることになる。この場合、最表面の平滑面５ｃで全反射する全反射光Ｌ１によって木目シート１のグロス感を持たせることができる。さらに、第二層５の下面とドット状凸部７間の空隙部８との間の界面で反射する反射光Ｌ２や、第二層５およびドット状凸部７間の空隙部８の壁部と第一層４とを通り、第一層４と接着層Ｓとの界面や、ドット状凸部７間の空隙部８の壁部などで複雑に反射する反射光Ｌ３、Ｌ４などによって充分な照り効果が得られる。したがって、木目シート１のシート最表面にグロス感を持たせつつ、充分な照り効果が得られる効果がある。
【００５３】
また、第一層４の第１エンボス層と、第二層５の第２エンボス層５ａと、表面層５ｂとは全て同一の透明樹脂で構成され、各層間の接合部が溶融状態で接合されている。そのため、各層間の接合面では屈折率差を生じないので、各層間の境界面での光線の屈折は生じない。そして、第一層４の第１エンボス層と、第二層５の第２エンボス層５ａとの間に万線６の模様に沿って配置した複数のドット状凸部７間に空隙部８が封じ込められた構造を有している。そのため、本実施の形態の木目シート１の万線６の模様に沿って配置した複数のドット状凸部７間の空隙部８の構造部分の光反射による照り光の効果は、複数のドット状凸部７間の空隙部８の空隙層と透明樹脂層の屈折率差により生起されるので、この部分で強い反射光を発生させ、照り感の向上を図ることができる。
【００５４】
また、本実施の形態では、透明反射フィルム３の本体３ａの第一層４は、平面視形状が平行線群、曲線群、又はそれらを組合せた万線６の模様に沿って配置した複数のドット状凸部７間の空隙部８が形成された透明樹脂の第１エンボス層によって形成されている。第二層５は、透明樹脂の第２エンボス層５ａと、表面層５ｂとを積層した構成を有する。第２エンボス層５ａは、第一層４の上に積層され、第一層４との接合面と反対側の面に同一材料で形成された表面層５ｂがさらに接合され、表面層５ｂの表面に平滑面５ｃが形成されている。そして、図２に示すように空隙部８の模様は、積層体の第一層４と第二層５との間の複数のドット状凸部７間に構成されていている。
【００５５】
これにより、表面層５ｂの最外面は平滑面５ｃとすることで、グロス感を得ることができる。また、表面層５ｂの最外面が平坦な平滑面５ｃとなっていることで、表面処理を容易に施すことが可能となる。そのため、表面層５ｂの平滑面５ｃにハードコートや、帯電防止などの最表面処理も行いやすい。
【００５６】
また、第一層４の第１エンボス層と、第二層５の第２エンボス層５ａとの間に万線６に沿って配置した複数のドット状凸部７間の空隙部８の空気層を内包させているので、空隙部８の空気層が表面層５ｂの最外面に露出することはない。これにより、表面層５ｂを平滑面５ｃとすることが出来るので、表面の平滑性による反射グロス感との共存ができ、グロス感を損なうことがない。
【００５７】
また、万線６に沿って配置した複数のドット状凸部７間の空隙部８の空気層構造のパターンニングについては、従来のエンボス版での製造プロセスを使用できるので、容易に実現可能であり、低原価を得るには望ましい。さらに、万線に沿って配置した複数のドット状凸部７間の空隙部８の空気層構造を閉空間とする木目シート１の製造装置１１も、１種２層の押出機が使用できれば良く、使用する樹脂もこれまでと同等である。また、木目印刷シート上に直接押出成形を行なうことで、木目シート１を得ることが出来る。この木目シート１も、グロス感を損なわず、ハードコートや帯電防止などの最表面処理も行いやすい。
【００５８】
更に、樹脂を環状オレフィン樹脂とする事で、賦形成形を容易にしつつ、優れた風合いの木目シート１を得ることができる。
【００５９】
さらに、本実施の形態では、万線６に沿って整列配置した複数のドット状凸部７の組合せにより、自在な絵柄を実現できる。複数のドット状凸部７の組合せとマット加工などの表面の装飾との組合せが可能である。
【００６０】
したがって、フィルム内部に空隙層を設けたシートを反射フィルムとして用いることで、その空隙の形状により生じる反射光を、ドット状の立体形状や、その向きの分布を適宜調整することによって、自在な照り感を表現することができ、視覚効果を向上させることが出来、表現力を高めることができる透明反射フィルムとデザインシートとこれらの製造方法を提供することができる。
【実施例】
【００６１】
（実施例１）  
第２冷却ロール１７の版形状（エンボスパターン１７ａ）を構成する万線の単位を、線幅１４０μｍ、隣接するパターンとのピッチを２６０μｍ、溝の深さを３０μｍとして、半径２．６ｍｍ〜１２ｍｍ、円弧長１．０ｍｍ〜４．５ｍｍの範囲の円弧を繋げた形状に沿って配置した複数のドットとして、製版を行なった。製版には上記形状を得ることが出来る、曲面状の断面を持つダイヤモンドバイトを用いて、第２冷却ロール１７上に設けた銅メッキに対して切削加工を行い、切削後Ｃｒメッキを施してエンボス版とした。
【００６２】
基材シート２としては木目の印刷を施した厚さ７０μｍのポリプロピレン樹脂シートを用い、この上に透明なポリプロピレン樹脂を平均厚さ８０μｍにてエンボス加工を行い、同様に透明なポリプロピレン樹脂を平均８０μｍの厚さで表面層５ｂを形成する。
【００６３】
最後にその表面に、乾燥後の厚みが１ｇ／ｍ２となる程度にウレタンアクリレート樹脂をコートして表面保護層を形成し、木目シート１を得る。
【００６４】
出来上がった化粧シートは表面のグロス感を有したまま照り感を有しており、木目の表面よりリアルに木目を表現することができたものとなった。
【００６５】
（実施例２）  
実施例１と同様の版を用いて、ポリエチレン（日本ポリエチレン  ＬＣ６００Ａ）により同様の試作を行なった。樹脂温度は２４０℃で実施したところ、やや断面形状の崩れが生じるものの、万線６の模様の空隙層は確保されていた。
【００６６】
第２エンボス層５ａと表面層５ｂとの樹脂温度の温度差を２０℃としたところ、良好な結果が得られた。
【００６７】
エンボスパターン１７ａの空隙層では強い反射光を生じることから、樹脂層の厚みについては殆んど制約がない。このことは、木目シート１への他の要求項目に応じて適宜決定してよいことを示しており、使いやすい特性である。
【００６８】
また、エンボス版としては、切削版のみならず、エッチングなどを用いた、グラビア用の製版技術も用いることが出来るので、応用範囲が広い。
【００６９】
このように得られたシートを、所望の形状に断裁し、木目シート１を得ることが出来る。断裁には、薄手の場合にはスリッターが使用できるが、厚手の場合は丸鋸や、ランニングソー、レーザー断裁など、適宜選定し使用すればよい。
【００７０】
なお、本発明は上記実施の形態に限定されるものではない。例えば、図１の木目シート１から基材シート２と接着層Ｓを外した透明反射フィルム３の本体３ａを成形品として成形してもよい。また、上記実施の形態では、デザインシートとして、木目シート１の一例を示したが、これに限定されるものではなく、石や、図形などの任意の絵柄（デザイン模様）が印刷された印刷シートで基材シート２を構成してもよい。さらに、その他、本発明の要旨を逸脱しない範囲で種々変形実施できることは勿論である。
【産業上の利用可能性】
【００７１】
本発明は、透明反射フィルムの最表面にグロス感を持たせつつ、充分な照り効果を得ることの両立を図ることで、例えば、包装用材料などの意匠向上に役立てることが出来る。また、木目シートとしてリアルな木目シートを提供し、建築部材や家具を含めたインテリアなどの分野に適用できる。
【符号の説明】
【００７２】
１…木目シート、２…基材シート、３…透明反射フィルム、３ａ…透明反射フィルム本体、４…第一層、５…第二層、５ａ…第２エンボス層、５ｂ…表面層、５ｃ…平滑面、６…万線、７…ドット状凸部、８…空隙部、１１…木目シート製造装置、１２ａ…第１のシート成形装置、１２ｂ…第２のシート成形装置、１３…第１押出機、１４…第２押出機、１５…Ｔダイ、１６…第１冷却ロール、１７…第２冷却ロール、１７ａ…エンボスパターン、１８…第３冷却ロール、１９…供給ロール、２０…第１の溶融樹脂材料供給路、２１…第２の溶融樹脂材料供給路、２２…第１供給口、２３…第２供給口、２４…吐出口、２５…第１のシート、２６…第２のシート、２７…第１の積層体シート、２８…中間シート部材、２９…第３押出機、３０…第４押出機、３１…Ｔダイ、３２…第４冷却ロール、３３…第５冷却ロール、３４…第６冷却ロール、３５…中間シート部材供給ロール、３６…第３の溶融樹脂材料供給路、３７…第４の溶融樹脂材料供給路、３８…第３供給口、３９…第４供給口、４０…吐出口、４１…第３のシート、４２…第４のシート、４３…第２の積層体シート、４４…成形品。
【図１】
2016107601.tif 000003
【図２】
2016107601.tif 000004
【図３】
2016107601.tif 000005
【図４】
2016107601.tif 000006
【図５】
2016107601.tif 000007
【図６】
2016107601.tif 000008
【図７】
2016107601.tif 000009
【図８】
2016107601.tif 000010
【図９】
2016107601.tif 000011